(57)【特許請求の範囲】
【請求項１】
美術館・博物館・資料館等の展示室に設置されるガス系消火設備において、ガス系消火設備を構成する部材のうち消火剤ガス容器を、展示物の台座内又は展示物の背面の外部から見えない位置に設置し、前記部材のうち消火剤ガス容器と噴射ノズルとを接続する配管を展示物内に敷設し、展示物に形成した開口部に前記噴射ノズルを配設したことを特徴とするガス系消火設備。
【請求項２】
前記噴射ノズルを可燃物に向けて配設したことを特徴とする請求項１記載のガス系消火設備。
【発明の詳細な説明】
【０００１】
【発明の属する技術分野】
本発明は、ガス系消火設備に関し、特に、美術館・博物館・資料館等の展示室において、展示室の雰囲気を損なうことなくガス系消火設備を設置するとともに、消火対象区画内に消火剤ガスを効果的に放出することができるようにし、さらに、ガス系消火設備の設置スペースが実質的に不要となるようにしたガス系消火設備に関するものである。
【０００２】
【従来の技術】
従来、ガス系消火設備は、消火対象区画とは別に消火剤ガス容器貯蔵室を設け、消火剤ガスをこの消火剤ガス容器貯蔵室内に設置した消火剤ガス容器に充填した状態で保管しておき、火災発生の際に、電気的手段又は機械的手段を用いて、消火剤ガス容器及びその配管に配設した弁を開放することにより、消火剤ガスを消火剤貯蔵室から配管を介して消火対象区画に配設された噴射ノズルまで送り、消火対象区域内に放出するようにしている。
【０００３】
ところで、ガス系消火設備は、消火剤による消火対象区画内の汚染がほとんどないこと、水系消火設備のように電気の絶縁性や消火対象区画内の器物を損なう等のいわゆる水損といった間接的な損害を与えないこと、消火剤が隙間から浸透して構造が複雑な消火対象に対しても強力な消火効果を発揮できること、消火剤の経年変化がなく長期に亘って一定の消火能力を有すること等の特性を有することから、コンピュータ室や通信機器室等の重要施設に広く採用されている。
【０００４】
そして、ガス系消火設備は、上記の特性を有する点では、貴重な歴史的遺産や文化財を収蔵する美術館・博物館・資料館等の展示室にとって、好ましい消火形態であるということができる。
【０００５】
【発明が解決しようとする課題】
しかしながら、上記従来の固定式ガス系消火設備においては、消火対象区画とは別に消火剤ガス容器貯蔵室を設けるとともに、この消火剤ガス容器貯蔵室から消火対象区画まで配管を敷設する必要があるため、この固定式ガス系消火設備を既設の建築物に適用しようとすると、消火剤ガス容器、配管、噴射ノズル等のガス系消火設備を構成する部材を後付けで取り付ける必要があり、また、一旦取り付けたこれらの部材の移設には手数を要するため、特に美的な雰囲気が必要となるとともに、展示物によって展示室（消火対象区画）の形態や噴射ノズルの配置を変更することが必要となる美術館・博物館・資料館等の展示室には、固定式ガス系消火設備が既に設けられている場合を除き、これを新たに適用することは困難で、また、適用することが可能であったとしても、従来の固定式ガス系消火設備の形態自体からして、必ずしも適当なものということができなかった。
【０００６】
ところで、美術館・博物館・資料館等の展示室の形態の変更に対応することができるようにするため、ガス系消火設備を、消火剤ガス容器、配管、噴射ノズル等のガス系消火設備を構成する部材を所定のボックス中に納めるようにしたパッケージ型に構成することも考えられるが、このようにしたとしても、展示物によって噴射ノズルの配置を変更することが容易ではなく、また、パッケージ型のガス系消火設備が、展示室の美的な雰囲気を損なうという問題があった。
【０００７】
さらに、パッケージ型のガス系消火設備の場合、別途設置スペースを確保する必要があるため、展示スペースが減少したり、必要な容量の消火剤ガス容器を設置することができないという問題があった。
【０００８】
本発明は、上記従来の固定式等のガス系消火設備の有する数々の問題点に鑑み、美術館・博物館・資料館等の展示室において、展示室の雰囲気を損なうことなくガス系消火設備を設置するとともに、消火対象区画内に消火剤ガスを効果的に放出することができるようにし、さらに、ガス系消火設備の設置スペースが実質的に不要となるようにしたガス系消火設備を提供することを目的とする。
【０００９】
【課題を解決するための手段】
上記目的を達成するため、本発明のガス系消火設備は、美術館・博物館・資料館等の展示室に設置されるガス系消火設備において、ガス系消火設備を構成する部材のうち消火剤ガス容器を、展示物の台座内又は展示物の背面の外部から見えない位置に設置し、前記部材のうち消火剤ガス容器と噴射ノズルとを接続する配管を展示物内に敷設し、展示物に形成した開口部に前記噴射ノズルを配設したことを特徴とする。
【００１０】
このガス系消火設備は、消火剤ガス容器、配管等のガス系消火設備を構成する部材を、美術館・博物館・資料館等の展示室の雰囲気に合わせた意匠となるように作成することにより、展示物等の一部となるようにしているので、展示室の雰囲気を損なうことなくガス系消火設備を設置することができる。
これにより、展示室の形態の変更に対応することができるとともに、展示物によって噴射ノズルの配置を変更することができ、消火対象区画内に消火剤ガスを効果的に放出することができ、また、展示室の空間を有効利用して、ガス系消火設備の設置スペースを実質的に不要とすることができる。
【００１１】
また、前記噴射ノズルを可燃物に向けて配設することができる。
【００１２】
これにより、可燃物に集中的に消火剤ガスを噴射することができ、火災が発生しても、初期のうちに消火でき、展示物に与える影響を最小限とすることができる。
【００１３】
【発明の実施の形態】
以下、本発明のガス系消火設備の実施の形態を図面に基づいて説明する。
【００１４】
図１に、本発明のガス系消火設備の一実施例を示す。
このガス系消火設備は、ガス系消火設備３を展示物１及びその台座２内に設置したものである。
台座２は、外形を展示物１に合わせて形成するが、その内部を空洞とし、この台座２の空洞部内に、ガス系消火設備３を設置するようにする。
【００１５】
この場合、ガス系消火設備３は、消火剤ガスを充填した必要本数の消火剤ガス容器３１と、可燃物あるいは消火対象物に向けて消火剤ガスを噴射するようにした噴射ノズル３２と、この消火剤ガス容器３１と噴射ノズル３２間を接続するように配設した配管３３と、火災発生時に開放するように、火災発生時電気的手段あるいは機械的手段にて開弁するように形成した弁３４とより構成する。
【００１６】
また、消火剤ガスを噴出する噴射ノズル３２は、本実施例においては、展示物１の開口部内に配設するようにしているが、展示物１、さらには台座２の外部から目立たない適宜位置に配設することができる。
そして、この噴射ノズル３２は、可燃物Ｗに向けて配設することができ、これにより、可燃物に集中的に消火剤ガスを噴射することができ、火災が発生しても、初期のうちに消火でき、展示物に与える影響を最小限とすることができる。
【００１７】
また、配管３３は、台座２及び展示物１内に敷設し、外部からは見えないようにする。
【００１８】
なお、図２に示す変形実施例のように、台座２を省略し、消火剤ガス容器３１展示物１の背面の外部からは見えない位置に設置することもできる。
【００１９】
また、ガス系消火設備を設置する適当な展示物１や台座２がない場合には、図３〜図４に示すガス系消火設備の参考例のように、消火剤ガスを充填した消火剤ガス容器３１を着色したり（図３）、壁紙付きゴム磁石パネル等の化粧部材３８にて覆うようにする（図４）。
この場合、着色や化粧部材は、展示室の雰囲気に合わせ、その雰囲気を損なわないようにする。
【００２０】
そして、消火剤ガス容器３１は、弁及び制御回路（図示省略）を備え、全体を蓋３５にて覆うようにし、特に限定されるものではないが、この蓋３５の上方に、展示室の天井面付近まで達する長さを有するポール３６を突設し、ポール３６の先端に定温式センサ、煙センサ等の火災検知センサＣを取り付けるとともに、この火災検知センサ、制御回路及び弁を電気的に接続し、火災の発生を火災検知センサにて検知すると、開弁し、消火剤ガス容器３１に充填した消火剤ガスを、蓋３５に形成した噴射ノズル孔３７より噴出するようにする。
【００２１】
このようにガス系消火設備を構成することにより、ガス系消火設備３を構成する部材を、美術館・博物館・資料館等の展示室の雰囲気に合わせた意匠に容易に変更することができる。
また、化粧部材３８の高さを人間の身長よりも高く、例えば、２０００ｍｍ以上にすることにより、ガス系消火設備３の上部を外部からは見えないようにすることができる。
【００２２】
図５に、本発明のガス系消火設備を美術館・博物館・資料館等の建造物に適用した一例を示す。
この場合、特に限定されるものではないが、ガス系消火設備３を４箇所に設置し、このガス系消火設備３間を電気的に接続し、火災が発生したことを定温式センサ、煙センサ等の火災検知センサＣにて検知すると、すべてのガス系消火設備３が同時に作動するようにしている。
また、建造物には、警告灯Ｋ及び警告を音声で発するようにしたスピーカＳを設置するようにする。
これにより、火災発生検知センサＣにて火災の発生を検知すると、制御回路により弁３４を開放してすべてのガス系消火設備３より消火剤ガスを放出し、配管３３を経て噴射ノズル３２より噴出するようにすると同時に、警告灯ＫとスピーカＳにて警告を発するようにする。
【００２３】
なお、図中、Ｗ１はガス系消火設備３を手動により作動させる外部起動スイッチ、Ｗ２は消火剤ガスの放出時あるいは放出直後に閉鎖するようにした給排気ダクトのダンパーＤを復帰させる時に使用する復旧弁を内蔵した箱体を、それぞれ示す。
【００２４】
以上、本発明のガス系消火設備について、その実施例に基づいて説明したが、本発明は上記実施例に記載した構成に限定されるものではなく、その趣旨を逸脱しない範囲において適宜その構成を変更することができるものである。
【００２５】
【発明の効果】
本発明のガス系消火設備によれば、消火剤ガス容器、配管等のガス系消火設備を構成する部材を、美術館・博物館・資料館等の展示室の雰囲気に合わせた意匠となるように作成することにより、展示物等の一部となるようにしているので、展示室の雰囲気を損なうことなくガス系消火設備を設置することができる。
これにより、展示室の形態の変更に対応することができるとともに、展示物によって噴射ノズルの配置を変更することができ、消火対象区画内に消火剤ガスを効果的に放出することができ、また、展示室の空間を有効利用して、ガス系消火設備の設置スペースを実質的に不要とすることができる。
【００２６】
また、噴射ノズルを可燃物に向けて配設することにより、可燃物に集中的に消火剤ガスを噴射することができ、火災が発生しても、初期のうちに消火でき、展示物に与える影響を最小限とすることができる。
【図面の簡単な説明】
【図１】  本発明のガス系消火設備の一実施例を示す説明図である。
【図２】  本発明のガス系消火設備の変形実施例を示す説明図である。
【図３】  ガス系消火設備の参考例を示す説明図である。
【図４】  ガス系消火設備の参考例を示す説明図である。
【図５】  本発明のガス系消火設備を設置した一例を示す建造物の平面図である。
【符号の説明】
１    展示物
２    台座
３    ガス系消火設備
３１  消火剤ガス容器
３２  噴射ノズル
３３  配管
３４  弁
３５  蓋
３６  ポール
３７  噴射ノズル孔
Ｗ    可燃物
【図１】
0004680401.tif 000002
【図２】
0004680401.tif 000003
【図３】
0004680401.tif 000004
【図４】
0004680401.tif 000005
【図５】
0004680401.tif 000006